(57)【要約】
【課題】　ビデオカセットレコーダにおいて、高速早送り及び巻き戻し（ＦＦ／ＲＥＷ）を実現しつつ、記録／再生モード、ＦＦ／ＲＥＷモードに応じてキャプスタンモータの駆動力をリール台に伝達する駆動力伝達機構の構成を簡単、かつ、省スペース化する。
【解決手段】　巻取り側リール台８及び供給側リール台９に選択的に駆動力を伝達する遊星ギア７を歯数の大きい大径ギア部７ａと歯数の小さい小径ギア部７ｂの段ギアとし、駆動レバー４０により、同軸に配置された歯数の大きい第１ギア３４と歯数の小さい第２ギア３６とを選択的に、遊星ギア７と噛合させる。第１ギア３４はキャプスタンモータにより駆動されるクラッチプーリ６と一体的に回転駆動され、第２ギア３６は、クラッチプーリ６との間に作用する摩擦力によりクラッチプーリ６に対して滑りながら回転されるスリップ部材３５と一体的に回転駆動される。
【選択図】図３
0003099666.tif 000002
【実用新案登録請求の範囲】
【請求項１】
　駆動力を発生させるキャプスタンモータと、前記キャプスタンモータの駆動力を、巻取り側及び供給側のリールを回転支持する２つのリール台のうちいずれか一方のリール台に選択的に伝達する駆動力伝達機構と、少なくとも記録モード、再生モード、早送りモード及び巻き戻しモードを含む複数の動作モードに応じてその位置を変位させるモードレバーと、前記モードレバーを変位させるモードレバー駆動機構とを備えたビデオカセットレコーダにおいて、
　前記駆動力伝達機構は、
　第１回転軸を中心として回転自在に軸支され、前記キャプスタンモータの回転軸に取り付けられた駆動プーリ及びベルトを介して前記キャプスタンモータにより回転駆動されるクラッチプーリと、
　前記第１回転軸を中心として軸支されると共に、前記第１回転軸と平行な方向に摺動可能に前記クラッチプーリに嵌合され、前記クラッチプーリと一体的に回転駆動される第１ギアと、
　前記クラッチプーリ及び前記第１ギアの軸受け部の内周面と前記第１回転軸の外周面との間に嵌合され、前記第１回転軸を中心として回転自在に軸支されると共に、前記クラッチプーリに対して摩擦部材を介して接触し、前記クラッチプーリの回転に伴って摩擦力により回転駆動されるスリップ部材と、
　前記第１回転軸を中心として軸支されると共に前記第１回転軸と平行な方向に摺動可能に前記第１回転軸に嵌合され、前記スリップ部材と一体的に回転駆動され、さらに前記第１回転軸方向の端面において前記第１ギアと当接する第２ギアと、
　前記クラッチプーリと前記スリップ部材との間に前記第１回転軸を中心として設けられ、前記クラッチプーリと前記スリップ部材に設けられた摩擦部材とを前記第１回転軸と平行な方向に付勢する第１コイルばねと、
　前記第２ギアとシャーシとの間に設けられ、前記第２ギアを前記第１ギア側に付勢する第２コイルばねと、
　前記第２ギアを太陽ギアとし、前記第１回転軸を中心として旋回する第２回転軸に回転自在に軸支されると共に、前記第１ギアと噛合しうる小径ギア部及び前記第２ギアと噛合しうる大径ギア部を有し、前記大径ギア部が前記巻取り側及び供給側のリール台にそれぞれ設けられたギア部と選択的に噛合することにより前記リール台のいずれかに駆動力を伝達する少なくとも１つの遊星ギアと、
　前記モードレバーに設けられたカム面に当接し、前記モードレバーの変位に応じて前記モードレバーの変位方向に対して直交する方向に変位されると共に、前記モードレバーが早送りモード及び巻き戻しモードに対応する位置にあるとき、前記第１ギアに当接して前記第１ギアが前記遊星ギアの小径ギア部と噛合するように前記第１ギアを噛合位置に変位させ、前記モードレバーが記録モード又は再生モードに対応する位置にあるとき、前記第２コイルばねの付勢力により前記第１ギアと前記遊星ギアの小径ギア部との噛合を解除させるように、前記第１ギアに当接しない位置に待避する駆動レバーとを備え、
　早送りモード又は巻き戻しモードのときに、キャプスタンモータによる駆動力を、スリップ機構を介することなく直接リール台に伝達すると共に、記録モード又は再生モードのときに比べて駆動力伝達機構による減速比を小さくして高速で早送り又は巻き戻しを行い、かつ、段ギアによる減速比の切り換え及び遊星ギアによる駆動力伝達の切り換えを少なくとも２軸で可能にしたことを特徴とするビデオカセットレコーダ。
【請求項２】
　キャプスタンモータの駆動力を、巻取り側及び供給側のリールを回転支持する２つのリール台のうちいずれか一方のリール台に選択的に伝達する駆動力伝達機構を備え、少なくとも記録モード、再生モード、早送りモード及び巻き戻しモードを含む複数の動作モードの切り換えが可能なビデオカセットレコーダにおいて、
　前記駆動力伝達機構は、
　前記キャプスタンモータにより回転駆動されるクラッチプーリと、
　前記クラッチプーリに対してその軸方向に変位可能であると共に、前記クラッチプーリと一体的に回転駆動される第１ギアと、
　前記クラッチプーリの回転に伴って摩擦力により回転駆動されるスリップ部材と、
　前記スリップ部材と一体的に回転駆動される第２ギアと、
　前記第２ギアを太陽ギアとし、前記第１ギアと噛合し得る小径ギア部及び前記第２ギアと噛合しうる大径ギア部を有し、前記大径ギア部が前記巻取り側及び供給側のリール台にそれぞれ設けられたギア部と選択的に噛合することにより前記リール台のいずれかに駆動力を伝達する少なくとも１つの遊星ギアと、
　早送りモード又は巻き戻しモードが選択されたときに、前記第１ギアが前記遊星ギアの小径ギア部と噛合するように前記第１ギアを噛合位置に変位させ、記録モード又は再生モードが選択されたときに、前記第２ギアを前記遊星ギアの大径ギア部と噛合させるギア切り換え機構とを備えたことを特徴とするビデオカセットレコーダ。
【請求項３】
　前記スリップ部材は、前記クラッチプーリ及び前記第１ギアの軸受け部の内周面とそれらの回転中心に位置する回転軸の外周面との間に嵌合され、前記回転軸を中心として回転自在に軸支されると共に、前記クラッチプーリに対して摩擦部材を介して接触しており、
　前記第２ギアは、前記回転軸を中心として軸支されると共に前記回転軸と平行な方向に摺動可能に前記スリップ部材に嵌合され、さらに前記回転軸方向において前記第１ギアと当接していることを特徴とする請求項２に記載のビデオカセットレコーダ。
【請求項４】
　前記ギア切り換え機構は、複数の動作モードに応じてその位置を変位させるモードレバーと、前記モードレバーに設けられたカム面に当接し、前記モードレバーの変位に応じて前記モードレバーの変位方向に対して直交する方向に変位されると共に、前記モードレバーが早送りモード及び巻き戻しモードに対応する位置にあるとき、前記第１ギアに当接して、前記第１ギアが前記遊星ギアの小径ギア部と噛合するように前記第１ギアを噛合位置に変位させ、前記モードレバーが記録モード又は再生モードに対応する位置にあるとき、前記第１ギアに当接しない位置に待避する駆動レバーとを備えたことを特徴とする請求項２又は３に記載のビデオカセットレコーダ。
【考案の詳細な説明】
【技術分野】
【０００１】
　本考案は、例えばビデオカセットレコーダ（ＶＣＲ）における高速早送り及び巻き戻し（ＦＦ／ＲＥＷ）機構に関する。
【背景技術】
【０００２】
　従来から、磁気テープの早送り及び巻き戻し速度をさらに速くした、高速早送り及び巻き戻しモードを有するビデオカセットレコーダが提案されている。このような高速早送り及び巻き戻しモードを有するビデオカセットレコーダでは、スリップ機構を介して駆動力伝達機構を連結してリール台を低速で回転駆動する記録／再生モードと、スリップ機構を介さずに駆動力伝達機構を直結してリール台を回転駆動する通常ＦＦ／ＲＥＷモードと、スリップ機構を介さずに駆動力伝達機構を直結すると共に駆動力伝達機構の減速比を変更してリール台を高速で回転駆動する高速ＦＦ／ＲＥＷモードの３つのモードを有する。
【０００３】
　一般的に、通常ＦＦ／ＲＥＷモードと高速ＦＦ／ＲＥＷモードを切り換える場合、駆動力伝達機構中に歯数の大きい大径ギア部と歯数の小さい小径ギア部を有する段ギアを２つ用意し、これら２つの段ギア（第１段ギア及び第２段ギア）の噛合を変更することにより、駆動力伝達機構の減速比を変更する。通常ＦＦ／ＲＥＷモードの場合、駆動力伝達方向の上流側に位置する第１段ギアの小径ギア部と、下流側に位置する第２段ギアの大径ギア部とを噛合させる。また、高速ＦＦ／ＲＥＷモードの場合、第１段ギアの大径ギア部と第２段ギアの小径ギア部とを噛合させる。このような構成により、一方の段ギアをその回転軸方向に上下動させることにより、他方の段ギアとの噛合を切り換えることができ、駆動力伝達機構の各ギアの回転軸の位置を移動させることなく、減速比を変更することができる（特許文献１参照）。巻取り側又は供給側のリールに駆動力を伝達するための遊星ギアは、第１段ギアの小径ギア部を太陽ギアとして噛合されており、段ギアによる減速比の切り換え及び遊星ギアによる駆動力伝達の切り換えは少なくとも３軸で構成されている。
【０００４】
　一方、記録／再生モードと通常ＦＦ／ＲＥＷモードとを切り換える場合も、駆動力伝達機構中の所定のギアをその回転軸方向に上下動させ、スリップ機構を介して摩擦により回転駆動されるギアと、スリップ機構を介することなく駆動される駆動ギアとの間で噛合を切り換えている。上記特許文献１などの３つのモードを有するビデオカセットレコーダでは、記録／再生モードと通常ＦＦ／ＲＥＷモードの切り換え用及び通常ＦＦ／ＲＥＷと高速ＦＦ／ＲＥＷの切り換え用のために、ギアを上下動させるギア切り換え機構が２つ必要であり、装置の構成が複雑となり、小型軽量化及び低コスト化が困難である。
【０００５】
　そこで、本出願人は、記録／再生モードとＦＦ／ＲＥＷモードを切り換えると同時に、駆動力伝達機構の減速比を変更した高速ＦＦ／ＲＥＷが可能なビデオカセットレコーダを提案している（特許文献２参照）。特許文献２によれば、記録／再生モードと高速ＦＦ／ＲＥＷモードの２つのモードしか有していないものの、ＦＦ／ＲＥＷ時のテープ速度が高速化されている。また、ギアを上下動させるギア切り換え機構が１つでよく、装置の構成が比較的簡単になり、特許文献１のビデオカセットレコーダに比べて小型軽量化及び低コスト化に有利である。しかしながら、特許文献２のビデオカセットレコーダでは、１つの段ギアを軸方向に上下動させ、記録／再生モードでは、段ギアの大径ギア部を、スリップ機構を介して低速で回転駆動される低速ギアに噛合させ、また、ＦＦ／ＲＥＷモードでは、段ギアの小径ギア部を、スリップ機構を介さずに直接高速で駆動される高速ギアに噛合させている。さらに、低速ギア及び高速ギアを同軸にすると共に、さらに段ギアの大径ギア部に噛合する太陽ギアも同軸に設け、巻取り側又は供給側のリールに駆動力を伝達するための遊星ギアをこの太陽ギアに噛合させている。そのため、特許文献２のビデオカセットレコーダも、特許文献１の装置と同様に、段ギアによる減速比の切り換え及び遊星ギアによる駆動力伝達の切り換えは少なくとも３軸で構成されており、駆動力伝達機構自体はさほど省スペース化されていない。
【特許文献１】特開平１０−３３４５４７号公報（図３）
【特許文献２】特実２００１−３１９３９５号公報（図２）
【考案の開示】
【考案が解決しようとする課題】
【０００６】
　本考案は、上記の問題を解決するためになされたものであり、高速ＦＦ／ＲＥＷが可能であり、記録／再生モードと高速ＦＦ／ＲＥＷモードを切り換える際の駆動力伝達機構の構成を簡単にし、かつ、省スペース化を実現して、さらなる小型軽量化及び低コスト化が可能なビデオカセットレコーダを提供することを目的とする。
【課題を解決するための手段】
【０００７】
　上記目的を達成するために請求項１の考案は、駆動力を発生させるキャプスタンモータと、前記キャプスタンモータの駆動力を、巻取り側及び供給側のリールを回転支持する２つのリール台のうちいずれか一方のリール台に選択的に伝達する駆動力伝達機構と、少なくとも記録モード、再生モード、早送りモード及び巻き戻しモードを含む複数の動作モードに応じてその位置を変位させるモードレバーと、前記モードレバーを変位させるモードレバー駆動機構とを備えたビデオカセットレコーダにおいて、
　前記駆動力伝達機構は、
　第１回転軸を中心として回転自在に軸支され、前記キャプスタンモータの回転軸に取り付けられた駆動プーリ及びベルトを介して前記キャプスタンモータにより回転駆動されるクラッチプーリと、
　前記第１回転軸を中心として軸支されると共に、前記第１回転軸と平行な方向に摺動可能に前記クラッチプーリに嵌合され、前記クラッチプーリと一体的に回転駆動される第１ギアと、
　前記クラッチプーリ及び前記第１ギアの軸受け部の内周面と前記第１回転軸の外周面との間に嵌合され、前記第１回転軸を中心として回転自在に軸支されると共に、前記クラッチプーリに対して摩擦部材を介して接触し、前記クラッチプーリの回転に伴って摩擦力により回転駆動されるスリップ部材と、
　前記第１回転軸を中心として軸支されると共に前記第１回転軸と平行な方向に摺動可能に前記第１回転軸に嵌合され、前記スリップ部材と一体的に回転駆動され、さらに前記第１回転軸方向において前記第１ギアと当接する第２ギアと、
　前記クラッチプーリと前記スリップ部材との間に前記第１回転軸を中心として設けられ、前記クラッチプーリと前記スリップ部材に設けられた摩擦部材とを前記第１回転軸と平行な方向に付勢する第１コイルばねと、
　前記第２ギアとシャーシとの間に設けられ、前記第２ギアを前記第１ギア側にに付勢する第２コイルばねと、
　前記第２ギアを太陽ギアとし、前記第１回転軸を中心として旋回する第２回転軸に回転自在に軸支されると共に、前記第１ギアと噛合しうる小径ギア部及び前記第２ギアと噛合しうる大径ギア部を有し、前記大径ギア部が前記巻取り側及び供給側のリール台にそれぞれ設けられたギア部と選択的に噛合することにより前記リール台のいずれかに駆動力を伝達する少なくとも１つの遊星ギアと、
　前記モードレバーに設けられたカム面に当接し、前記モードレバーの変位に応じて前記モードレバーの変位方向に対して直交する方向に変位されると共に、前記モードレバーが早送りモード及び巻き戻しモードに対応する位置にあるとき、前記第１ギアに当接して前記第１ギアが前記遊星ギアの小径ギア部と噛合するように前記第１ギアを噛合位置に変位させ、前記モードレバーが記録モード又は再生モードに対応する位置にあるとき、前記第２コイルばねの付勢力により前記第１ギアと前記遊星ギアの小径ギア部との噛合を解除させるように、前記第１ギアに当接しない位置に待避する駆動レバーとを備え、
　早送りモード又は巻き戻しモードのときに、キャプスタンモータによる駆動力を、スリップ機構を介することなく直接リール台に伝達すると共に、記録モード又は再生モードのときに比べて駆動力伝達機構による減速比を小さくして高速で早送り又は巻き戻しを行い、かつ、段ギアによる減速比の切り換え及び遊星ギアによる駆動力伝達の切り換えを少なくとも２軸で可能にしたことを特徴とする。
【０００８】
　また、請求項２の考案は、キャプスタンモータの駆動力を、巻取り側及び供給側のリールを回転支持する２つのリール台のうちいずれか一方のリール台に選択的に伝達する駆動力伝達機構を備え、少なくとも記録モード、再生モード、早送りモード及び巻き戻しモードを含む複数の動作モードの切り換えが可能なビデオカセットレコーダにおいて、
　前記駆動力伝達機構は、
　前記キャプスタンモータにより回転駆動されるクラッチプーリと、
　前記クラッチプーリに対してその軸方向に変位可能であると共に、前記クラッチプーリと一体的に回転駆動される第１ギアと、
　前記クラッチプーリの回転に伴って摩擦力により回転駆動されるスリップ部材と、
　前記スリップ部材と一体的に回転駆動される第２ギアと、
　前記第２ギアを太陽ギアとし、前記第１ギアと噛合し得る小径ギア部及び前記第２ギアと噛合しうる大径ギア部を有し、前記大径ギア部が前記巻取り側及び供給側のリール台にそれぞれ設けられたギア部と選択的に噛合することにより前記リール台のいずれかに駆動力を伝達する少なくとも１つの遊星ギアと、
　早送りモード又は巻き戻しモードが選択されたときに、前記第１ギアが前記遊星ギアの小径ギア部と噛合するように前記第１ギアを噛合位置に変位させ、記録モード又は再生モードが選択されたときに、前記第２ギアを前記遊星ギアの大径ギア部と噛合させるギア切り換え機構とを備えたことを特徴とする。
【０００９】
　さらに、請求項３の考案は、請求項２のビデオカセットレコーダにおいて、前記スリップ部材は、前記クラッチプーリ及び前記第１ギアの軸受け部の内周面とそれらの回転中心に位置する回転軸の外周面との間に嵌合され、前記回転軸を中心として回転自在に軸支されると共に、前記クラッチプーリに対して摩擦部材を介して接触しており、前記第２ギアは、前記回転軸を中心として軸支されると共に前記回転軸と平行な方向に摺動可能に前記スリップ部材に嵌合され、さらに前記回転軸方向において前記第１ギアと当接していることを特徴とする。
【００１０】
　さらに、請求項４の考案は、請求項２又は３のビデオカセットレコーダにおいて、前記ギア切り換え機構は、複数の動作モードに応じてその位置を変位させるモードレバーと、前記モードレバーに設けられたカム面に当接し、前記モードレバーの変位に応じて前記モードレバーの変位方向に対して直交する方向に変位されると共に、前記モードレバーが早送りモード及び巻き戻しモードに対応する位置にあるとき、前記第１ギアに当接して、前記第１ギアが前記遊星ギアの小径ギア部と噛合するように前記第１ギアを噛合位置に変位させ、前記モードレバーが記録モード又は再生モードに対応する位置にあるとき、前記第１ギアに当接しない位置に待避する駆動レバーとを備えたことを特徴とする。
【考案の効果】
【００１１】
　請求項１の考案によれば、少なくともクラッチプーリ、第１ギア、スリップ部材及び第２ギアを第１回転軸上に同軸配置することができ、かつ、第１ギア及び第２ギアと選択的に噛合する少なくとも１つの遊星ギアを、第２ギアが太陽ギアとなるように配置させているので、段ギアによる減速比の切り換え及び遊星ギアによる駆動力伝達の切り換えを少なくとも第１回転軸と第２回転軸の２軸で実現でき、従来のものに比べて１軸少なくすることができる。その結果、駆動力伝達機構の構成を簡単することができると共に省スペース化が可能になり、ビデオカセットレコーダを小型軽量化及び低コスト化することができる。さらに、遊星ギアを段ギアとし、早送りモード又は巻き戻しモードのときに、キャプスタンモータによる駆動力を、スリップ機構を介することなく直接リール台に伝達すると共に、記録モード又は再生モードのときに比べて駆動力伝達機構による減速比を小さくすることにより、高速で早送り又は巻き戻しを行うことができる。さらに、段ギアである遊星ギアに噛合させる第１ギアと第２ギアの切り換えを、モードレバーの変位に連動して変位される駆動レバーにより行っているので、ギア切り換え機構の構成を簡単にすることができると共に、動作タイミングの遅れを小さくすることができる。
【００１２】
　また、請求項２の考案によれば、遊星ギアを段ギアとし、早送りモード又は巻き戻しモードのときに、キャプスタンモータによる駆動力を、スリップ機構を介することなく直接リール台に伝達すると共に、記録モード又は再生モードのときに比べて駆動力伝達機構による減速比を小さくすることにより、高速で早送り又は巻き戻しを行うことができる。さらに、段ギアによる減速比の切り換え及び遊星ギアによる駆動力伝達の切り換えを従来のものに比べて１軸少なくすることができ、駆動力伝達機構の構成が簡単になると共に省スペース化され、ビデオカセットレコーダを小型軽量化及び低コスト化することができる。
【００１３】
　さらに、請求項３の考案によれば、少なくともクラッチプーリ、第１ギア、スリップ部材、及び第２ギアを同軸配置することができ、かつ、第１ギア及び第２ギアと選択的に噛合する少なくとも１つの遊星ギアを、第２ギアが太陽ギアとなるように配置させているので、段ギアによる減速比の切り換え及び遊星ギアによる駆動力伝達の切り換えを少なくとも２軸で実現することができる。
【００１４】
　さらに、請求項４の考案によれば、段ギアである遊星ギアに噛合させる第１ギアと第２ギアの切り換えを、モードレバーの変位に連動して変位される駆動レバーにより行っているので、ギア切り換え機構の構成を簡単にすることができると共に、動作タイミングの遅れを小さくすることができる。
【考案を実施するための最良の形態】
【００１５】
　本考案を実施するための最良の形態について図面を参照して説明する。本考案の一実施の形態に係るビデオカセットレコーダの構成を図１及び図２に示す。図１はシャーシ３１の上側（テープカセットが装着される側）の構成を示す正面図であり、図２はシャーシ３１の下側の構成を示す背面図である。
【００１６】
　ビデオカセットレコーダ１は、テープカセット（図示せず）の内部の巻取り側リール及び供給側リールの回転をそれぞれ支持する巻取り側リール台８及び供給側リール台９と、磁気テープ（以下、「テープ」とする）を走行させるための駆動力を発生させるキャプスタンモータ２と、キャプスタンモータ２の回転軸３に固着された駆動プーリ４と、ベルト５を介して駆動プーリ４に連結され、キャプスタンモータ２の駆動力により回転されるクラッチプーリ６と、キャプスタンモータ２の回転方向、すなわちクラッチプーリ６の回転方向により旋回し、駆動力を巻取り側リール台８及び供給側リール台９のいずれかに選択的に伝達する２つの遊星ギア７と、通常記録／再生時にキャプスタンモータ２の回転軸３との間でテープを挟持し、テープ走行速度を一定に制御するためのピンチローラ１１と、テープ上のビデオ信号トラックからビデオ信号を読み出すためのビデオヘッドを内蔵したヘッドシリンダ１２と、通常記録／再生時にテープをヘッドシリンダ１２に巻きつけるためのテープガイド機構１３等で構成されている。
【００１７】
　キャプスタンモータ２の駆動力をリール台８及び９に選択的に伝達するための駆動力伝達機構３０の詳細を図３に示す。図３は、駆動力を巻取り側リール８に伝達している状態を示しており、供給側の遊星ギア７を省略している。
【００１８】
　駆動力伝達機構３０は、シャーシ３１に植設された第１回転軸３２と、第１回転軸３２を中心として旋回する第２回転軸３３で構成されている。第１回転軸３２には、クラッチプーリ６と、クラッチプーリ６と一体的に回転駆動される第１ギア３４と、クラッチプーリの回転に伴って摩擦力により回転駆動されるスリップ部材３５と、スリップ部材３５と一体的に回転駆動される第２ギア３６などが同軸に配置されている。
【００１９】
　スリップ部材３５は、第１回転軸３２の軸方向に分離可能な第１部材３５Ａ及び第２部材３５Ｂの２つの部材で構成され、第１部材３５Ａの上端が第２部材３５Ｂに圧入されて一体的に構成されている。第１回転軸３２の外周面には、第１部材３５Ａの軸受け部３５ａ及び第２部材３５Ｂの軸受け部３５ｂが嵌合され、第１回転軸３２に回転自在に軸支されている。また、第１部材３５Ａの下端はディスク状に形成されており、クラッチプーリ６に対向する面にフェルトなどの摩擦部材３５Ｃが貼付されている。
【００２０】
　クラッチプーリ６の軸受け部は、第１部材３５Ａの軸受け部３５ａの外周面に嵌合される内側軸受け部６ａと、第２部材３５Ｂの外周面に嵌合される外側軸受け部６ｂで構成されている。また、第１部材３５Ａに嵌合されたクラッチプーリ６の内側軸受け部６ａと第２部材３５Ｂとの間には、第１コイルばね３７が嵌装されている。第１コイルばね３７の付勢力により、摩擦部材３５Ｃを介してクラッチプーリ６とスリップ部材３５の第１部材３５Ａとが圧接される。そのため、スリップ部材３５は、クラッチプーリ６の回転に伴って摩擦力により回転駆動される。
【００２１】
　第１ギア３４の軸受け部３４ａは、スリップ部材３５の第２部材３５Ｂの外周部に嵌合されている。また、第１ギア３４の下端部はクラッチプーリ６の上端部とほぼ同じ内径及び外径を有する筒状に形成されており、かつ、第１回転軸３２と平行な方向に摺動可能なように、複数の矩形状の凹部及び凸部が形成されている。また、クラッチプーリ６の上端部にも、第１ギア３４の下端部の凹部及び凸部にそれぞれ係合する矩形状の凸部及び凹部が形成されている。そのため、第１ギア３４はこれら凹部と凸部が係合している範囲で、クラッチプーリ６に対して、第１回転軸３２の軸方向に摺動可能である。
【００２２】
　第２ギア３６は、第１回転軸３２に回転自在に、かつ、軸方向に摺動自在に嵌合されている。また、第２ギア３６の下面には突起３６ａが形成されており、スリップ部材３５の第２部材３５Ｂの上端に形成された凹部と嵌合される。そのため、第２ギア３６は、スリップ部材３５と一体的に回転駆動される。さらに、第２ギア３６の下端面は、第１ギア３４の上端部に形成された突起３４ｂに当接している。そのため、後述する第１ギア３６の変位に伴って第１回転軸３２の軸方向に上下動される。
【００２３】
　第１回転軸３２には、さらに第２ギア３６と係合して一体的に回転するフランジ部材３８が嵌合されており、フランジ部材３８を介してシャーシ３１の軸受け部３１Ａと第２ギア３６との間には、第２ギア３６を第１ギア３４側に付勢する第２コイルばね３９が設けられている。また、シャーシ３１の第１ギア３４の近傍には、第１回転軸３２を中心として対称に一対のガイドレール３１Ｂが形成されており、このガイドレール３１Ｂに沿って、駆動レバー４０が摺動可能に設けられている。駆動レバー４０については後述する。
【００２４】
　第２回転軸３３は、第１回転軸３２を中心として旋回する旋回レバー４１に固定されており、遊星ギア７は第１回転軸３２に回転自在に軸支されている。また、遊星ギア７は、直径が大きく歯数の大きい大径ギア部７ａと、直径が小さく端数の小さい小径ギア部７ｂを有する段ギアである。遊星ギア７は、第２ギア２６を太陽ギアとし、大径ギア部７ａが常時第２ギア３６と噛合している。また、小径ギア部７ｂは、第１ギア３４が第１回転軸３２の軸方向に上昇したときにのみ噛合する。さらに、大径ギア部７ａは、その回転方向に応じて、第１回転軸３２の周りに旋回し、巻取り側及び供給側のリール台８及び９にそれぞれ設けられたギア部（図３では８ａ）と選択的に噛合し、リール台８又は９に駆動力を伝達する。なお、第２ギア３６と遊星ギア７とが常時噛合しているため、例えば、第１ギア３４と遊星ギア７とを噛合させる際に、第２ギア２６と遊星ギア７の噛合を解除させる構成のものに比べて、ギアの噛合及び噛合解除の際のノイズを低減させることができる。
【００２５】
　次に、駆動レバー４０について説明する。図２に示すように、モードレバー４２は、シャーシ３１の下側、すなわちキャプスタンモータ２やクラッチプーリ６などが設けられている側に、これらとは干渉しないように設けられている。モードレバー４２は、リール台８及び９の配列方向と平行に摺動可能にシャーシ３１に保持されており、モードレバー駆動ギア４３の回転に応じて往復駆動される。モードレバー４２には、駆動レバー４０をモードレバー４２の変位方向に対して直交する方向に変位させるためのカム面４２ａが設けられており、駆動レバー４０に設けられた当接ピン４０ａがカム面４２ａ上を摺動するように、図示しないばねにより付勢されている。カム面４２ａは、このビデオカセットレコーダ１の各モードに応じて駆動レバー４０が所定の位置をとりうるように、所定の形状に形成されている。具体的には、駆動レバー４０の第１ギア３４に対向する面に突起又は傾斜面が形成されており、突起又は傾斜面により第１ギア３４が第１回転軸３２の軸方向に上下動される。モードレバー４２がＦＦ／ＲＥＷモードに対応する位置にあるとき、駆動レバー４０を第１ギア３４の底面に当接させて、第１ギア３４が遊星ギア７の小径ギア部７ｂと噛合するように、第２コイルばね３９の付勢力に抗して、第１ギア３４を噛合位置に変位（上昇）させる。また、モードレバー４２が記録／再生モードに対応する位置にあるとき、駆動レバー４０を第１ギア３４に当接しない位置に待避させる。それにより、第２コイルばね３９の付勢力により、第１ギア３４と遊星ギア７の小径ギア部７ｂとの噛合が解除される。
【００２６】
　第１ギア３４と遊星ギア７の小径ギア部７ｂとが噛合している状態では、駆動プーリ４及びベルト５を介してクラッチプーリ６に伝達されるキャプスタンモータ２の駆動力は、クラッチプーリ６と一体的に回転駆動される第１ギア３４、遊星ギア７の小径ギア部７ｂ、遊星ギア７の大径ギア部７ａを介してリール台８のギア部８ａに伝達され、リール台８が高速で回転される。このとき、第２ギア３６は、遊星ギア７の大径ギア部７ａと噛合しているので高速で回転され、第１ギア３４に対して空転する。一方、第２ギア３６と遊星ギア７の大径ギア部７ａとが噛合している状態では、キャプスタンモータ２の駆動力は、クラッチプーリ６の回転に伴ってクラッチプーリ６と摩擦部材３５Ｃとの間に生じる摩擦力により、スリップ部材３５に伝達される。さらに、スリップ部材３５と一体的に回転駆動される第２ギア３６及び遊星ギア７を介してリール台８に伝達され、リール台８が低速で回転される。なお、第１ギア３４は第２ギア３６よりも歯数が大きく、かつ、第１ギア３４と噛合する遊星ギア７の小径ギア部７ｂは、第２ギア３６と噛合する台形ギア部７ａよりも歯数が小さい。従って、遊星ギア７を第１ギア３４と噛合させることにより、ＦＦ／ＲＥＷモードにおける駆動威力伝達機構３０による減速比が記録／再生モードにおける減速比よりも小さくなり、通常のＦＦ／ＲＥＷモードにおける場合よりも遊星ギア７が高速回転され、テープの早送り又は巻き戻し速度を速くすることができる。なお、テープの早送りと巻き戻しの切り換えは、キャプスタンモータ２の回転方向を逆転させることにより行われる。
【００２７】
　このように、本考案の一実施の形態に係るビデオカセットレコーダ１によれば、遊星ギア７を段ギアとし、駆動レバー４０を変位させることにより、同軸に配置された歯数の異なる第１ギア３４と第２ギア３６を選択的に遊星ギア７の大径ギア部７ａ又は小径ギア部７ｂに噛合させることにより、ＦＦ／ＲＥＷモードのときに、キャプスタンモータ２による駆動力を、スリップ機構（クラッチプーリ６、摩擦部材３５Ｃ、スリップ部材３５など）を介することなく直接リール台８又は９に伝達すると共に、記録／再生モードのときに比べて駆動力伝達機構３０による減速比を小さくすることにより、高速で早送り又は巻き戻しを行うことができる。さらに、遊星ギア７自体を段ギアとしているので、段ギアによる減速比の切り換え及び遊星ギアによる駆動力伝達の切り換えを従来のものに比べて１軸少なくすることができ、駆動力伝達機構３０の構成が簡単になると共に省スペース化することができる。その結果、ビデオカセットレコーダ１を小型軽量化及び低コスト化することができる。
【００２８】
　なお、上記実施の形態では、２つの遊星ギア７を用いて巻取り側リール８と供給側リール９にキャプスタンモータ２による駆動力を選択的に伝達する場合について説明したが、本考案はこれに限定されず、遊星ギアを１つしか使用しない場合にも適用できることは言うまでもない。
【図面の簡単な説明】
【００２９】
【図１】本考案の一実施の形態に係るビデオカセットレコーダにおけるシャーシの上側の構成を示す正面図
【図２】上記ビデオカセットレコーダにおけるシャーシの下側の構成を示す背面図
【図３】上記ビデオカセットレコーダにおける駆動力伝達機構の主要部の構成を示す側部断面図
【符号の説明】
【００３０】
　１　ビデオカセットレコーダ
　２　キャプスタンモータ
　４　駆動プーリ
　５　ベルト
　６　クラッチプーリ
　７　遊星ギア
　８　巻取り側リール台
　９　供給側リール台
　３０　駆動力伝達機構
　３１　シャーシ
　３２　第１回転軸
　３３　第２回転軸
　３４　第１ギア
　３５　スリップ部材
　３５Ｃ　摩擦部材
　３６　第２ギア
　３７　第１コイルばね
　３９　第２コイルばね
　４０　駆動レバー
　４２　モードレバー
【図１】
0003099666.tif 000003
【図２】
0003099666.tif 000004
【図３】
0003099666.tif 000005